(57)【要約】【課題】貯湯専用タンクを複数個用い、用途の違いに応じた２温度以上の温水を同時または個別に取り出しできるとともに、用途が特定された所要量の高温水を確実に確保しつつ給湯できる貯湯式給湯システムを提供することを目的とする。【解決手段】貯湯式給湯システム１にあって、熱源機２からの高温水の出湯配管４と熱源機２への低温水の給水配管５との間に、複数の貯湯タンク７Ａ，７Ｂ，７Ｃを直列に接続して配設し、その貯湯タンク７Ａ，７Ｂ，７Ｃ中の熱源機２からの出湯配管４に最も近い最上流の貯湯タンクを高温水の給湯用貯湯タンク７Ａ、最下流の貯湯タンクを熱源機２への給水用貯湯タンク７Ｃとするとともに、最上流の給湯用貯湯タンク７Ａに高温水の給湯系９Ａが接続され、その下流側の１以上の貯湯タンク７Ｂ，７Ｃの上部に、ミキシングバルブ１０Ｂ，１０Ｃを介して異なる温度の温水が給湯可能な１以上の給湯系９Ｂ，９Ｃが接続されている。【選択図】図１
2015108486.tif 000002
【特許請求の範囲】
【請求項１】
熱源機で生成された高温水を貯湯タンクに貯え、その高温水を順次負荷側に給湯可能とした貯湯式給湯システムにおいて、
前記熱源機からの高温水の出湯配管と、前記熱源機への低温水の給水配管との間に、複数の前記貯湯タンクを直列に接続して配設し、
その複数の貯湯タンク中の前記熱源機からの出湯配管に最も近い最上流の貯湯タンクを高温水の給湯用貯湯タンク、最下流の貯湯タンクを前記熱源機への給水用貯湯タンクとするとともに、
前記最上流の給湯用貯湯タンクに高温水の給湯系が接続され、その下流側の１以上の前記貯湯タンクの上部に、ミキシングバルブを介して異なる温度の温水が給湯可能な１以上の給湯系が接続されていることを特徴する貯湯式給湯システム。
【請求項２】
前記ミキシングバルブには、前記給水用貯湯タンクの底部に接続されている給水管から分岐された給水配管が接続されていることを特徴とする請求項１に記載の貯湯式給湯システム。
【請求項３】
最上流の前記給湯用貯湯タンクから高温水が給湯可能とされるとともに、その下流側の１以上の前記貯湯タンクから異なる温度の温水が給湯可能とされ、少なくとも異なる２温度以上の温水が同時または個別に給湯可能な構成とされていることを特徴とする請求項１または２に記載の貯湯式給湯システム。
【請求項４】
複数の前記貯湯タンクは、それぞれ同一構造の貯湯専用タンクとされていることを特徴とする請求項１ないし３のいずれかに記載の貯湯式給湯システム。
【発明の詳細な説明】
【技術分野】
【０００１】
本発明は、熱源機で生成された高温水を貯湯タンクに貯え、その高温水を負荷側に給湯する貯湯式給湯システムに関するものである。
【背景技術】
【０００２】
貯湯式給湯システムにおいて、熱源機としてヒートポンプを用い、その水／冷媒熱交換器からの高温水の出湯配管と該水／冷媒熱交換器への低温水の給水配管との間に、複数の貯湯タンクを直列に接続（タンクを増設して複数個直列に接続する場合を含む）し、高温水の出湯配管に近い最上流の貯湯タンクから順次貯湯して行く構成とするとともに、最下流の貯湯タンクを給水用の貯湯タンクとし、その給水用貯湯タンクに、給水源からの給水管と上記水／冷媒熱交換器への低温水の給水配管とを接続した構成の貯湯式給湯システムが従来から知られている（特許文献１，２参照）。
【０００３】
一方、上記の如く、複数の貯湯タンクを直列に接続したシステムであっても、負荷側への給湯は、最上流の貯湯タンクの上部から出湯し、ミキシングバルブを介して所定温度の温水として給湯するものが多く、異なる２温度の温水を給湯可能にする場合、特許文献１に示されるように、最上流の貯湯タンクの上部から取り出した高温水を分岐し、一方は高温水のまま、他方はミキシングバルブで低温水と混合して温度を下げ、中温水または低温水として給湯する方式とするか、もしくは異なる２温度の温水を取り出し可能とした専用構造の貯湯タンクを使用するかのいずれかの方式を採っていた。
【先行技術文献】
【特許文献】
【０００４】
【特許文献１】特開２００５−１２７６４０号公報
【特許文献２】特開２０１１−１６９５８４号公報
【発明の概要】
【発明が解決しようとする課題】
【０００５】
しかしながら、異なる２温度の温水を取り出す専用構造のタンクを用いた場合、シンプルな貯湯専用のタンクを用いたものに比べ、コスト高となるとともに、タンクを増設することが難しくなる等の課題があった。一方、特許文献１のように、最上流の貯湯タンクの上部から取り出した高温水を分岐し、個別に温度調整して２温度以上の温水を取り出す方式とした場合、シンプルな貯湯専用のタンクを用いて簡易に２温度以上の温水を取り出すことができるものの、この場合、常に最上流の貯湯タンクから高温水が出湯されることになるため、用途が確定されている所要量の高温水を確実に確保しながら、順次他の用途に給湯することが困難となる等の課題があった。
【０００６】
つまり、上記のシステムでは、最上流の貯湯タンクの上部から負荷側に高温水を出湯すると、出湯された高温水量と同等量の低温水が給水源から最下流の貯湯タンクの底部に給水され、その低温水と高温水との温度境界層が順次上流側の貯湯タンクへと移動してこととなり、その間に高温水と低温水とが混合して高温水の温度が徐々に低下していくことは避けられない。このため、例えば給食センターや食品加工工場等で使う貯湯式給湯システムのように、所要量の高温水を加熱殺菌用として確保しておかなければならないような用途に適用したとき、加熱殺菌用の高温水の取り出しができなくなる虞等の虞があった。
【０００７】
本発明は、このような事情に鑑みてなされたものであって、シンプルな貯湯専用のタンクを複数個用いて、用途の違いに応じた異なる２温度以上の温水を同時または個別に取り出しできるとともに、用途が特定された所要量の高温水を確実に確保しつつ給湯することができる構成が簡素で安価な貯湯式給湯システムを提供することを目的とする。
【課題を解決するための手段】
【０００８】
上記した課題を解決するために、本発明の貯湯式給湯システムは、以下の手段を採用している。
すなわち、本発明にかかる貯湯式給湯システムは、熱源機で生成された高温水を貯湯タンクに貯え、その高温水を順次負荷側に給湯可能とした貯湯式給湯システムにおいて、前記熱源機からの高温水の出湯配管と、前記熱源機への低温水の給水配管との間に、複数の前記貯湯タンクを直列に接続して配設し、その複数の貯湯タンク中の前記熱源機からの出湯配管に最も近い最上流の貯湯タンクを高温水の給湯用貯湯タンク、最下流の貯湯タンクを前記熱源機への給水用貯湯タンクとするとともに、前記最上流の給湯用貯湯タンクに高温水の給湯系が接続され、その下流側の１以上の前記貯湯タンクの上部に、ミキシングバルブを介して異なる温度の温水が給湯可能な１以上の給湯系が接続されていることを特徴する。
【０００９】
本発明によれば、貯湯タンクを備えた貯湯式給湯システムにあって、熱源機からの高温水の出湯配管と、熱源機への低温水の給水配管との間に、複数の貯湯タンクを直列に接続して配設し、その複数の貯湯タンク中の熱源機からの出湯配管に最も近い最上流の貯湯タンクを高温水の給湯用貯湯タンク、最下流の貯湯タンクを熱源機への給水用貯湯タンクとするとともに、最上流の給湯用貯湯タンクに高温水の給湯系が接続され、その下流側の１以上の貯湯タンクの上部に、ミキシングバルブを介して異なる温度の温水が給湯可能な１以上の給湯系が接続されているため、直列に接続された複数の貯湯タンク中の最上流の給湯用貯湯タンクから高温水を給湯し、その下流側の１以上の貯湯タンクからミキシングバルブを介して異なる温度の温水を給湯することにより、専用の２温度取り出し用貯湯タンクを用いることなく、１基の貯湯式給湯システムから少なくとも異なる２温度以上の温水を同時または個別に取り出し、負荷側に給湯することができる。しかも、下流側の１以上の貯湯タンクからミキシングバルブを介して中温水や低温水を取り出すことにより、最上流の給湯用貯湯タンクに所要量の高温水を貯湯したまま、下流側の貯湯タンクに貯湯されている高温水を順次給湯して消費することができる。従って、特別な構成のタンクを用いることなく、貯湯専用のシンプルな構成のタンクを複数個用いて、用途の違いに応じた異なる２温度以上の温水を同時または個別に取り出し、給湯できる安価な貯湯式給湯システムを提供することができるとともに、用途が特定された所要量の高温水を確実に確保できる貯湯式給湯システムを提供することができる。
【００１０】
さらに、本発明の貯湯式給湯システムは、上記の貯湯式給湯システムにおいて、前記ミキシングバルブには、前記給水用貯湯タンクの底部に接続されている給水管から分岐された給水配管が接続されていることを特徴とする。
【００１１】
本発明によれば、ミキシングバルブに、給水用貯湯タンクの底部に接続されている給水管から分岐された給水配管が接続されているため、下流側の貯湯タンクから負荷側に給湯する際、給水管から分岐された給水配管を経てミキシングバルブに低温水を供給し、設定温度の中温水又は低温水に調整して給湯することができる。従って、最上流の給湯用貯湯タンクに所要量の高温水を確保しつつ、最上流の給湯用貯湯タンクからの給湯とは独立して異なる温度の温水を同時または個別に取り出し、負荷側に給湯することができる。
【００１２】
さらに、本発明の貯湯式給湯システムは、上述のいずれかの貯湯式給湯システムにおいて、最上流の前記給湯用貯湯タンクから高温水が給湯可能とされるとともに、その下流側の１以上の前記貯湯タンクから異なる温度の温水が給湯可能とされ、少なくとも異なる２温度以上の温水が同時または個別に給湯可能な構成とされていることを特徴とする。
【００１３】
本発明によれば、最上流の給湯用貯湯タンクから高温水が給湯可能とされるとともに、その下流側の１以上の貯湯タンクから異なる温度の温水が給湯可能とされ、少なくとも異なる２温度以上の温水が同時または個別に給湯可能な構成とされているため、貯湯専用のシンプルな構成の貯湯タンクを複数個直列に接続するだけで、最上流の給湯用貯湯タンクからの高温水の給湯と、下流側の１以上の貯湯タンクからの温度の異なる温水の給湯とにより、少なくとも異なる２温度以上の温水を同時または個別に給湯することができる。従って、専用構造となる高価な２温度取り出し用貯湯タンクを用いることなく、用途の違いに応じた異なる２温度以上の温水を同時または個別に取り出しできる貯湯式給湯システムを低コストで提供することができる。
【００１４】
さらに、本発明の貯湯式給湯システムは、上述のいずれかの貯湯式給湯システムにおいて、複数の前記貯湯タンクは、それぞれ同一構造の貯湯専用タンクとされていることを特徴とする。
【００１５】
本発明によれば、複数の貯湯タンクが、それぞれ同一構造の貯湯専用タンクとされているため、直列に接続される複数の貯湯タンクを、それぞれ既存のシンプルな構成の貯湯専用の同一構造のタンクによって構成することができる。従って、安価な同一構造の貯湯専用タンクを複数個用い、用途の違いに応じた異なる２温度以上の温水を同時または個別に取り出しできる貯湯式給湯システムを低コストで提供することができる。
【発明の効果】
【００１６】
本発明によると、直列に接続された複数の貯湯タンク中の最上流の給湯用貯湯タンクから高温水を給湯し、その下流側の１以上の貯湯タンクからミキシングバルブを介して異なる温度の温水を給湯することによって、専用の２温度取り出し用貯湯タンクを用いることなく、１基の貯湯式給湯システムから少なくとも異なる２温度以上の温水を同時または個別に取り出し、負荷側に給湯することができ、しかも、下流側の１以上の貯湯タンクからミキシングバルブを介して中温水や低温水を取り出すことにより、最上流の給湯用貯湯タンクに所要量の高温水を貯湯したまま、下流側の貯湯タンクに貯湯されている高温水を順次給湯して消費することができるため、特別な構成のタンクを用いることなく、貯湯専用のシンプルな構成のタンクを複数個用いて、用途の違いに応じた異なる２温度以上の温水を同時または個別に取り出し、給湯できる安価な貯湯式給湯システムを提供することができるとともに、用途が特定された所要量の高温水を確実に確保できる貯湯式給湯システムを提供することができる。
【図面の簡単な説明】
【００１７】
【図１】本発明の一実施形態に係る貯湯式給湯システムの構成図である。
【図２】上記貯湯式給湯システムの貯湯運転時の動作説明図である。
【図３】上記貯湯式給湯システムの高温水給湯時の動作説明図である。
【図４】上記貯湯式給湯システムの中温水又は低温水給湯時の動作説明図である。
【図５】上記貯湯式給湯システムの高温水と中温水又は低温水の２温度温水の給湯時の動作説明図である。
【発明を実施するための形態】
【００１８】
以下に、本発明の一実施形態について、図１ないし図５を参照して説明する。
図１には、本発明の一実施形態に係る貯湯式給湯システムの構成図が示されている。
貯湯式給湯システム１は、低温水を加熱して高温水を生成するヒートポンプ、電気温水器、ボイラ等からなる熱源機２を備えている。この熱源機２は、貯湯ユニット３側から給水ポンプを介して供給された低温水を熱交換器、ヒータ２Ａ等を介して加熱し、高温水として貯湯ユニット３側に循環させる構成とされたものであり、公知の熱源機２を使用することができる。
【００１９】
貯湯ユニット３は、熱源機２からの高温水の出湯配管４と、熱源機２への低温水の給水配管５との間に、接続配管６Ａ，６Ｂを介して直列に接続して配設された複数個の貯湯タンク７Ａ，７Ｂ，７Ｃを備えている。ここでは、３個の貯湯タンク７Ａ，７Ｂ，７Ｃを直列に接続したものが例示されているが、この貯湯タンクは、少なくとも２個以上のタンクが直列に接続されているものであればよい。
【００２０】
なお、以下の説明において、上記複数の貯湯タンク７Ａ，７Ｂ，７Ｃの中、熱源機２からの高温水の出湯配管４に最も近い位置に接続される貯湯タンク７Ａを最上流の給湯用貯湯タンク７Ａ、その下流側に接続される少なくとも１以上の貯湯タンク７Ｂを下流側の貯湯タンク７Ｂ、給水配管５が接続される貯湯タンク７Ｃを最下流の給水用貯湯タンク７Ｃと称することとする。
【００２１】
最下流の給水用貯湯タンク７Ｃには、その底部に給水管８が接続され、給水源である水道等からの市水（水道水）が給水管８を経て給水可能とされている。給水管８を経て給水用貯湯タンク７Ｃに給水された低温水は、給水用貯湯タンク７Ｃの底部から給水配管５および図示省略の給水ポンプを介して熱源機２に供給可能とされている。なお、給水源は必ずしも水道等からの市水に限定されるものではなく、井戸水、その他であってもよい。
【００２２】
一方、最上流の給湯用貯湯タンク７Ａの上部には、負荷側に高温水を給湯（給湯Ａ）するための給湯配管（給湯系）９Ａが接続され、給湯用貯湯タンク７Ａに貯湯されていた高温水が所要の高温水負荷用途に供給可能な構成とされている。なお、この給湯配管９Ａに対して、必要に応じてミキシングバルブ１０Ａを設置し、高温水を所定の温度に調整して給湯できるようにしてもよいことはもちろんである。この場合、ミキシングバルブ１０Ａに対して給水管８から分岐された給水配管１１Ａを接続し、高温水に低温水を混合して所定温度の高温水に調整して給湯できるようにすればよい。
【００２３】
さらに、本実施形態では、下流側の貯湯タンク７Ｂおよび最下流の給水用貯湯タンク７Ｃに対しても、その上部である接続配管６Ａ，６Ｂに、負荷側に中温水もしくは低温水を給湯（給湯Ｂ，給湯Ｃ）するための給湯配管（給湯系）９Ｂ，９Ｃが接続された構成とされている。そして、この給湯配管９Ｂ，９Ｃにも、各々ミキシングバルブ１０Ｂ，１０Ｃが設けられ、給水管８から分岐された給水配管１１Ｂ，１１Ｃが接続された構成とされることにより、貯湯タンク７Ｂ，７Ｃに貯湯されている高温水を、中温水又は低温水に温度調整して所要の負荷用途に給湯可能とされている。
【００２４】
上記の貯湯式給湯システム１において、貯湯運転は、以下により行われる。
まず、給水管８からの給水により、貯湯タンク７Ａ，７Ｂ，７Ｃに低温水が満たされた状態とされる。この状態から、図２に実線矢印で示すように、給水用貯湯タンク７Ｃの底部より給水配管５、図示省略の給水ポンプを介して熱源機２に低温水を順次供給し、熱交換器、ヒータ２Ａ等で加熱して高温水を生成することにより貯湯運転が開始される。この高温水は、熱源機２からの出湯配管４を介して最上流の給湯用貯湯タンク７Ａの上部に供給され、図２に示すように、最上流の給湯用貯湯タンク７Ａから、順次下流側の貯湯タンク７Ｂ，７Ｃへと温度境界層を形成しながら貯湯されていく。
【００２５】
複数の貯湯タンク７Ａ，７Ｂ，７Ｃに、設定温度の所定量の高温水が貯湯されたことが検知されると、沸く上げ完了とされ、貯湯運転は終了される。この貯湯運転は、安価な夜間電力を利用して深夜に行われるのが通常である。図１には、沸く上げが完了した状態が示されており、複数の貯湯タンク７Ａ，７Ｂ，７Ｃに、それぞれ設定温度の高温水が所定量貯湯された状態となる。
【００２６】
一方、貯湯タンク７Ａ，７Ｂ，７Ｃに貯湯された高温水を消費する給湯運転は、消費期間中において、以下のように行われる。図３には、最上流の給湯用貯湯タンク７Ａから給湯配管９Ａを介して高温水が給湯される場合の動作図が示されている。
この場合、最上流の給湯用貯湯タンク７Ａの上部から順次高温水が給湯配管９Ａを介して出湯され、その給湯配管９Ａ中に設けられているミキシングバルブ１０Ａで必要に応じて給水配管１１Ａからの低温水と混合されて必要温度に調整された後、負荷側に対して給湯（給湯Ａ）されることになる。
【００２７】
最上流の給湯用貯湯タンク７Ａから順次高温水が出湯されると、その出湯量に見合った量の低温水が給水管８を介して最下流の給水用貯湯タンク７Ｃに給水され、給水用貯湯タンク７Ｃ内の高温水を上流側の貯湯タンク７Ｂ，７Ａへと押出す。これによって、貯湯タンク７Ｂ，７Ｃ内の高温水が、図３に実線矢印で示すように、順次最上流の給湯用貯湯タンク７Ａへと移動される。このため、最上流の給湯用貯湯タンク７Ａは、常に、所要量の高温水が確保された状態に維持されることになる。
【００２８】
また、図４には、最下流の給水用貯湯タンク７Ｃから給湯配管９Ｃを介して中温水又は低温水が給湯される場合の動作図が示されている。
この場合、最下流の給水用貯湯タンク７Ｃの上部から順次高温水が出湯され、給湯配管９Ｃ中において、ミキシングバルブ１０Ｃで給水配管１１Ｃからの低温水と混合されて中温水又は低温水に温度調整された後、負荷側に給湯（給湯Ｃ）されることになる。この際も貯湯タンク７Ｃからの出湯量に見合った量の低温水が給水管８を介して貯湯タンク７Ｃに給水されるが、貯湯タンク７Ｃに貯湯されていた高温水が全て消費されると、給水管８から給水された低温水がそのまま給湯配管９Ｃを経て出水されることになる。
【００２９】
従って、最下流の給水用貯湯タンク７Ｃから給湯配管９Ｃを介して中温水又は低温水として給湯できる高温水量は、最下流の給湯用貯湯タンク７Ｃに貯湯されていた高温水に限られることとなり、上流側の貯湯タンク７Ｂ又は７Ａに貯湯されている高温水を給湯配管９Ｃから給湯することはできない。
【００３０】
なお、貯湯タンク７Ｂから個別で給湯（給湯Ｂ）できることも、貯湯タンク７Ａ，７Ｃからの個別給湯（給湯Ａ又は給湯Ｃ）に準じて明らかであり、詳述するまでもない。ただし、貯湯タンク７Ｂから個別に給湯する場合、貯湯タンク７Ｂに貯湯されていた高温水を全て使っても、その下流側の貯湯タンク７Ｃに貯湯されている高温水をも追加して給湯できるため、貯湯タンク７Ｂ内の高温水の給湯のみに限定されることはないものの、最上流の給湯用貯湯タンク７Ａに貯湯されている高温水を給湯配管９Ｂから給湯することはできない。従って、最上流の給湯用貯湯タンク７Ａに確実に所定量の高温水を確保しておくことができる。
【００３１】
このように、本実施形態では、３個の貯湯タンク７Ａ，７Ｂ，７Ｃから、それぞれ個別に温度の異なる温水又は同温度の温水を複数の用途に対応して給湯することができる。
さらに、本実施形態では、２以上の貯湯タンク７Ａ，７Ｂ，７Ｃから、異なる２温度以上の温水を同時に又は個別に給湯することができる。例えば貯湯タンク７Ａと貯湯タンク７Ｂ、貯湯タンク７Ａと貯湯タンク７Ｃ、貯湯タンク７Ｂと貯湯タンク７Ｃ、および貯湯タンク７Ａと貯湯タンク７Ｂと貯湯タンク７Ｃから、それぞれ同時に又は個別に異なる２温度以上の温水を複数の用途に対応して給湯することができる。
【００３２】
図５に、その一例として、貯湯タンク７Ａと貯湯タンク７Ｃから、異なる２温度の温水を同時に給湯する場合の動作図が示されている。以下に、図５に基づいて、その給湯動作を詳しく説明する。
この場合、最上流の給湯用貯湯タンク７Ａからは、その上部から給湯配管９Ａを介して順次高温水を負荷側に給湯することができる。この際、必要に応じて給湯配管９Ａ中に設けられているミキシングバルブ１０Ａにより温度調整して給湯（給湯Ａ）することができる。最上流の給湯用貯湯タンク７Ａからの給湯によって、最下流の給水用貯湯タンク７Ｃに給水管８を介して低温水が給水され、貯湯タンク７Ｂ，７Ｃの高温水が、図５に実線矢印で示すように、順次最上流の給湯用貯湯タンク７Ａ側に押出されることになることは上述した通りである。
【００３３】
これと同時に、最下流の給水用貯湯タンク７Ｃの上部からも給湯配管９Ｃを介して中温水又は低温水を負荷側に給湯（給湯Ｃ）することができる。最下流の給水用貯湯タンク７Ｃから給湯配管９Ｃに出湯された高温水は、給湯配管９Ｃ中に設けられているミキシングバルブ１０Ｃで給水配管１１Ｃからの低温水と混合されて中温水又は低温水に温度調整された後、負荷側に給湯されることになる。この際も貯湯タンク７Ｃからの出湯量に見合った量の低温水が給水管８を介して貯湯タンク７Ｃに給水されることになり、貯湯タンク７Ｃに貯湯されていた高温水が全て消費されると、貯湯タンク７Ｃから給湯配管９Ｃを介して給湯することはできなくなる。
【００３４】
同様にして、貯湯タンク７Ａと貯湯タンク７Ｂ、貯湯タンク７Ｂと貯湯タンク７Ｃおよび貯湯タンク７Ａと貯湯タンク７Ｂと貯湯タンク７Ｃから、それぞれ同時に又は個別に異なる２温度以上の温水を複数の用途に対応して給湯することができ、しかも、下流側の貯湯タンク７Ｂ，７Ｃから給湯することによって、それらの貯湯タンク７Ｂ，７Ｃに貯湯されていた高温水を全て使い切ったとしても、最上流の給湯用貯湯タンク７Ａに対して所要量の高温水を確保しておき、それを特定の用途に給湯することが可能となる。
【００３５】
斯くして、本実施形態によると、直列に接続された複数の貯湯タンク７Ａ，７Ｂ，７Ｃ中の最上流の給湯用貯湯タンク７Ａから高温水を給湯し、その下流側の１以上の貯湯タンク７Ｂ，７Ｃからミキシングバルブ１０Ｂ，１０Ｃを介して異なる温度の温水を給湯することにより、専用の２温度取り出し用貯湯タンクを用いることなく、１基の貯湯式給湯システム１から少なくとも異なる２温度以上の温水を同時または個別に取り出し、負荷側に給湯することができる。
【００３６】
しかも、下流側の１以上の貯湯タンク７Ｂ，７Ｃからミキシングバルブ１０Ｂ，１０Ｃを介して中温水や低温水を取り出すことにより、最上流の給湯用貯湯タンク７Ａに所要量の高温水を貯湯したまま、下流側の貯湯タンク７Ｂ，７Ｃに貯湯されている高温水を順次給湯して消費することができる。
このため、特別な構成のタンクを用いることなく、貯湯専用のシンプルな構成のタンク７Ａ，７Ｂ，７Ｃを複数個用いて、用途の違いに応じた異なる２温度以上の温水を同時または個別に取り出し、給湯できる安価な貯湯式給湯システム１を提供することができるとともに、用途が特定された所要量の高温水を確実に確保できる貯湯式給湯システム１を提供することができる。
【００３７】
また、本実施形態では、ミキシングバルブ１０Ｂ，１０Ｃに、給水用貯湯タンク７Ｃの底部に接続されている給水管８から分岐された給水配管１１Ｂ，１１Ｃが接続された構成とされ、下流側の貯湯タンク７Ｂ，７Ｃから負荷側に給湯する際、給水管８から分岐された給水配管１１Ｂ，１１Ｃを経てミキシングバルブ１０Ｂ，１０Ｃに低温水を供給し、設定温度の中温水又は低温水に調整して給湯することができるため、最上流の給湯用貯湯タンク７Ａに所要量の高温水を確保しつつ、最上流の給湯用貯湯タンク７Ａからの給湯とは独立して、下流側の貯湯タンク７Ｂ，７Ｃから異なる温度の温水を同時または個別に取り出し、負荷側に給湯することができる。
【００３８】
さらに、最上流の給湯用貯湯タンク７Ａから高温水が給湯可能とされるとともに、その下流側の１以上の貯湯タンク７Ｂ，７Ｃから異なる温度の温水が給湯可能とされ、少なくとも異なる２温度以上の温水が同時または個別に給湯可能な構成とされているため、貯湯専用のシンプルな貯湯タンク７Ａ，７Ｂ，７Ｃを複数個直列に接続するだけで、最上流の給湯用貯湯タンク７Ａからの高温水の給湯と、下流側の１以上の貯湯タンク７Ｂ，７Ｃからの温度の異なる温水の給湯とにより、少なくとも異なる２温度以上の温水を同時または個別に給湯することができる。
【００３９】
これによって、専用構造とされることにより高価な２温度取り出し用の貯湯タンクを用いることなく、安価な既存の貯湯専用のシンプルな構成の貯湯タンク７Ａ，７Ｂ，７Ｃを用いて、用途の違いに応じた異なる２温度以上の温水を同時または個別に取り出しできる貯湯式給湯システム１を低コストで提供することができる。
【００４０】
また、複数の貯湯タンク７Ａ，７Ｂ，７Ｃが、それぞれ同一構造の貯湯専用タンクとされている。このため、直列に接続される複数の貯湯タンク７Ａ，７Ｂ，７Ｃを、それぞれ既存のシンプルな構成の貯湯専用の同一構造のタンク７Ａ，７Ｂ，７Ｃにより構成することができ、これによっても、安価な同一構造の貯湯専用タンクを複数個用い、用途の違いに応じた異なる２温度以上の温水を同時または個別に取り出しできる貯湯式給湯システム１をより低コストで提供することが可能となる。
【００４１】
なお、本発明は、上記実施形態にかかる発明に限定されるものではなく、その要旨を逸脱しない範囲において、適宜変形が可能である。例えば、上記実施形態では、最上流の貯湯タンク７Ａに接続されている給湯配管９Ａ中にミキシングバルブ１０Ａを設け、温度調整可能とした例について説明したが、用途に特定され、貯湯タンク７Ａ，７Ｂ，７Ｃに貯湯される設定温度の高温水をそのまま使うようなものの場合、敢えてミキシングバルブ１０Ａを設ける必要はなく、省略してもよい。このようなシステムも本発明に包含されることは云うまでもない。
【符号の説明】
【００４２】
１  貯湯式給湯システム
２  熱源機
３  貯湯ユニット
４  高温水の出湯配管
５  低温水の給水配管
６Ａ，６Ｂ  接続配管
７Ａ，７Ｂ，７Ｃ  貯湯タンク
８  給水管
９Ａ，９Ｂ，９Ｃ  給湯配管（給湯系）
１０Ａ，１０Ｂ，１０Ｃ  ミキシングバルブ
１１Ａ，１１Ｂ，１１Ｃ  給水配管
【図１】
2015108486.tif 000003
【図２】
2015108486.tif 000004
【図３】
2015108486.tif 000005
【図４】
2015108486.tif 000006
【図５】
2015108486.tif 000007